(57)【要約】【課題】  電極からの伝熱体の漏れを、早期に精度よく検知することができる放電ランプ装置を提供することにある。【解決手段】  本発明の放電ランプ装置は、発光物質が封入された発光管の内部に一対の電極が対向配置された放電ランプ１０と、この放電ランプ１０の点灯状態を監視する測定手段３０よりなり、放電ランプ１０の少なくとも一方の電極は、内部の密閉空間に電極を構成する金属の融点より低い融点を有する金属からなる伝熱体が封入された放電ランプ装置において、測定手段３０は、放電ランプ１０の電力と発光物質から放射される放射光の両方を同時に一定間隔で順次測定し、最新の放電ランプの電力の測定値と最新の放射光の測定値の比率である最新比率と、この最新の放電ランプの電力と放射光を測定した時刻より一定の時間間隔をおいた過去の放電ランプの電力の測定値と放射光の測定値の比率である過去比率とを順次比較し、その比率の変化を検出する検出手段３５を有することを特徴とする。【選択図】    図１
2010232000.tif 000002
【特許請求の範囲】
【請求項１】
発光物質が封入された発光管の内部に一対の電極が対向配置された放電ランプと、この放電ランプの点灯状態を監視する測定手段よりなり、
前記放電ランプの少なくとも一方の電極は、内部に密閉空間が形成された電極本体と、この密閉空間内に封入された当該電極を構成する金属の融点より低い融点を有する金属からなる伝熱体より構成された放電ランプ装置において、
前記測定手段は、前記放電ランプの電力と前記発光物質から放射される放射光の両方を同時に一定間隔で順次測定し、最新の放電ランプの電力の測定値と最新の放射光の測定値の比率である最新比率と、この最新の放電ランプの電力と放射光を測定した時刻より一定の時間間隔をおいた過去の放電ランプの電力の測定値と放射光の測定値の比率である過去比率とを順次比較し、その比率の変化を検出する検出手段を有することを特徴とする放電ランプ装置。
【請求項２】
前記検出手段は、最新比率と過去比率の比を検出する比率検出手段であることを特徴とする請求項１に記載の放電ランプ装置。
【請求項３】
前記電極本体は、タングステンを主成分とする金属から構成され、
前記伝熱体は、金、銀及び銅のいずれか一種の金属を含むことを特徴とする請求項１から２に記載の放電ランプ装置。
【発明の詳細な説明】
【技術分野】
【０００１】
この発明は放電ランプ装置に関する。特に、液晶や半導体ウエハーの露光装置に用いられるショートアーク型放電ランプを用いた放電ランプ装置に関する。
【背景技術】
【０００２】
放電ランプは、発光物質、電極間距離、発光管内圧力という観点から幾つかのランプに分類でき、このうち発光物質ではキセノンガスを発光物質とするキセノンランプ、水銀を発光物質とする水銀ランプ、水銀以外の希土類金属を発光物質とするメタルハライドランプなどに分類できる。また、電極間距離という観点では、電極間距離が短いショートアーク型放電ランプや電極間距離が長いロングアーク型放電ランプに分類できる。さらに、発光管内の蒸気圧という観点では、低圧放電ランプ、高圧放電ランプ、超高圧放電ランプに分類できる。
【０００３】
このうち、ショートアーク型高圧水銀ランプについて言えば、耐熱温度の高い石英ガラスを発光管としており、その内部にタングステン製の電極が２〜１２ｍｍ程度の間隙をもって配置しており、さらに、発光管内部には発光物質として点灯時蒸気圧が１０５Ｐａ〜１０７Ｐａになる水銀やアルゴンなどの希ガスが封入されている。
このショートアーク型高圧水銀ランプは、電極間距離が短くて高輝度が得られるという利点を有することから、従来からリソグラフィーの露光用光源に広く使用されてきた。
【０００４】
その一方で、近年は、半導体ウエハーのみならず、液晶基板、特に、大面積の液晶ディスプレイに使う液晶基板の露光用光源として注目されており、製造工程におけるスループットを高める観点から光源であるランプとしても大出力化が強く求められている。
【０００５】
放電ランプの大出力化により定格消費電力が大きくなると、放電ランプに流れる電流値は、電流電圧の設計値にもよるが、大体の場合においては大きくなる。
このため、電極（特に、直流点灯における陽極）は、電子衝突を受ける量が多くなり、容易に昇温して溶融されるという問題を導いてしまう。また、陽極に限られず、垂直方向に配置する放電ランプにおいては、上側に位置される電極が、発光管内の熱対流などの影響を受けて、アークからの熱を受け易くなり、同様に高温化により溶融されてしまう。
【０００６】
また、電極、特に、その先端部分が溶融すると、アークが不安定になるばかりでなく、電極を構成する物質が蒸発して発光管の内表面に付着して放射出力が低下するという問題も生じる。
このような現象は、ショートアーク型高圧水銀ランプに限るものではなく、放電ランプを大出力化する場合に、一般的に生ずる問題であった。
【０００７】
このような問題が生じないようにするには、電極の温度上昇を抑制する必要があり、電極内部に空洞を設けた密閉空間を形成し、この空間の中に、銀や銅などの伝熱体を封入する構造が提案されている（特開２００４−６２４６号）。
伝熱体は、電極本体を構成する金属よりも融点の低い金属により構成されており、ランプ点灯時は、密閉空間内で液体状態となった伝熱体の対流作用や沸騰伝達作用を利用することで、電極先端の熱を、効率良く後部に輸送し、特に電極先端部分の温度上昇を抑制するものである。
【０００８】
しかしながら、上記構造の電極本体の内部に伝熱体を有する電極を採用しても、それ以前に存在する電極に比べて電極損耗という問題を解決することはできるが、完全に電極損耗が抑えられるというわけではなく、電極を構成する物質の蒸発を完全に抑えることはできず、電極からの蒸発物質が発光管の内表面に付着して、ランプ点灯時間の経過に伴い放射出力が徐々に低下するものである。
このような放射出力の低下を補うために、ランプ点灯時間の経過に伴い放電ランプの入力電力を上げて、常に所望の放射出力が得られるようにするものである。
このような方法は、照射面である被処理面での照度が一定になるように制御するものであり、定照度点灯モードと呼ばれている。（特開平１０−２９４２７１号）。
【０００９】
定照度点灯モードについて詳細に説明する。
図６は、放電ランプからの放射光を測定する時刻の説明図である。
図６に示すように、Ｓ１、Ｓ２、Ｓ３・・・Ｓ５９８、Ｓ５９９、Ｓ６００、Ｓ６０１、Ｓ６０２の記号は、一定間隔（１秒間隔）で放射光を測定した時刻を表現している。
【００１０】
従来の方法は、ランプ点灯後に安定経過時間を経過した時点、時刻Ｓ１において、放射光を測定し、その放射光の測定値と、所望の照度が得られる放射光の測定値である基準値と比較する。この測定値が基準値に対して許容範囲内であれば放射光が低下してないと判断し、放電ランプへの電力は変えないものである。
そして、ランプ点灯時間の経過に伴い、Ｓ５９８、Ｓ５９９、Ｓ６００の時刻のように、順次、放射光を測定し、基準値と比較するものである。
Ｓ６０１の時刻で測定した放射光の測定値と基準値を比較し、測定値が基準値に対して許容範囲より低下している場合は、放電ランプへの電力を上げて、常に、所望の照度になるようにする。
次に、Ｓ６０２の時刻で測定した放射光の測定値と基準値を比較し、測定値が基準値に対して許容範囲内であれば放射光が低下してないと判断し、放電ランプへの電力は変えないものである。
【先行技術文献】
【特許文献】
【００１１】
【特許文献１】特開２００４−６２４６号公報
【特許文献２】特開平１０−２９４２７１号公報
【発明の概要】
【発明が解決しようとする課題】
【００１２】
しかしながら、電極本体の内部に伝熱体を有する電極であっても、上述したとおり、完全に電極損耗が抑えられるというわけではなく、電極が損耗した場合は、放電が損耗形状に影響を受けることで著しく不安定となり、最悪の場合、電極本体に穴が開いて伝熱体が漏れ出すという問題があった。
【００１３】
一例として、発光管内に水銀が封入され、水銀の発光輝線３６５ｎｍの光を利用する放電ランプの場合、電極本体に穴が開いて銀や銅などの伝熱体が漏れ出すと、伝熱体が高温に曝されて気化し、霧状になって発光管内に充満し、３６５ｎｍの光が発光管外に透過しなくなり、照射面である被処理物の処理面での３６５ｎｍの照度が低下するものである。
【００１４】
伝熱体の漏出と照度及びランプの電力の関係について詳細に説明する。
電極本体に、一瞬にして大きな亀裂が発生して穴があくと、電極内部の伝熱体は、ほぼ全て一瞬にして漏れ出すものであり、この場合、３６５ｎｍの照度は、伝熱体の漏れと同時に低下するものである。
一方、電極本体に、微小な穴があき電極内部の伝熱体が徐々に漏れ出す場合は、伝熱体が漏れ出した初期段階では、３６５ｎｍの照度の低下は少なく、時間をかけて徐々に３６５ｎｍの照度が低下していくものである。
【００１５】
電極内部の伝熱体が一瞬にして、ほぼ全て漏れ出す場合は、光センサを組み込んだ光測定装置で３６５ｎｍの照度を測定していると、伝熱体の漏れと同時に３６５ｎｍの照度が急激に低下し、定照度点灯モードにしたがい、放電ランプの電力を一瞬にして上げても、電力上限値以上には電力を上げられないので、３６５ｎｍの照度を上げることができず、伝熱体の漏れを瞬時に検知することがきる。
【００１６】
しかし、電極内部の伝熱体が徐々に漏れ出す場合は、初期段階では、漏れ出した伝熱体の量が少なく、光測定装置で３６５ｎｍの照度を測定していると、３６５ｎｍの照度は僅かに低下する程度である。
そして、３６５ｎｍの照度の低下に伴い、定照度点灯モードによって、放電ランプの電力を上げると、３６５ｎｍの照度も上がり、伝熱体の漏れを早期に検知できないという問題があった。
【００１７】
つまり、電極内部の伝熱体が、ほぼ全て一瞬にして漏れ出した場合は、定照度点灯モードで電力を上げても、３６５ｎｍの照度が上がらず、伝熱体の漏出を検知できる。
しかしながら、電極内部の伝熱体が徐々に漏れ出した場合は、定照度点灯モードで電力を上げると、３６５ｎｍの照度が上がり、伝熱体の漏出を早期に検知することができないという問題があった。
【００１８】
本発明は、以上のような事情に基づいてなされたものであって、その目的は、電極からの伝熱体の漏れを精度よく早期に検知することができる放電ランプ装置を提供することにある。
【課題を解決するための手段】
【００１９】
請求項１記載の放電ランプ装置は、発光物質が封入された発光管の内部に一対の電極が対向配置された放電ランプと、この放電ランプの点灯状態を監視する測定手段よりなり、前記放電ランプの少なくとも一方の電極は、内部に密閉空間が形成された電極本体と、この密閉空間内に封入された当該電極を構成する金属の融点より低い融点を有する金属からなる伝熱体より構成された放電ランプ装置において、前記測定手段は、前記放電ランプの電力と前記発光物質から放射される放射光の両方を同時に一定間隔で順次測定し、最新の放電ランプの電力の測定値と最新の放射光の測定値の比率である最新比率と、この最新の放電ランプの電力と放射光を測定した時刻より一定の時間間隔をおいた過去の放電ランプの電力の測定値と放射光の測定値の比率である過去比率とを順次比較し、その比率の変化を検出する検出手段を有することを特徴とする。
【００２０】
請求項２記載の放電ランプ装置は、請求項１記載の放電ランプ装置であって、特に、前記検出手段は、最新比率と過去比率の比を検出する比率検出手段であることを特徴とする。
【００２１】
請求項３記載の放電ランプ装置は、請求項１または請求項２に記載の放電ランプ装置であって、特に、前記電極本体は、タングステンを主成分とする金属から構成され、前記伝熱体は、金、銀及び銅のいずれか一種の金属を含むことを特徴とする。
【発明の効果】
【００２２】
電極本体内部に伝熱体を有する電極を用いた放電ランプと、この放電ランプの点灯状態を監視する測定手段を有する本発明の放電ランプ装置において、測定手段は、放電ランプの電力と発光物質から放射される放射光の両方を同時に一定間隔で順次測定し、最新の放電ランプの電力の測定値と最新の放射光の測定値の比率である最新比率と、この最新の放電ランプの電力と放射光を測定した時刻より一定の時間間隔をおいた過去の放電ランプの電力の測定値と放射光の測定値の比率である過去比率とを順次比較し、その比率の変化を検出する検出手段を有しているので、定照度点灯モードで電力を上げて所定の照度を維持するように放電ランプが点灯していても、放電ランプの電力と放射光の変化により、電極から伝熱体が漏れ出したことを、精度よく、早期に検出することができる。
【００２３】
さらに、検出手段は、最新比率と過去比率の比を検出する比率検出手段であるので、比率の変化によって、電極から伝熱体が漏れ出したことを、精度よく、早期に検出することができる。
【００２４】
さらに、電極本体は、タングステンを主成分とする金属から構成され、記伝熱体は、金、銀及び銅のいずれか一種の金属を含むものであり、電極先端の熱を、効率よく後部に輸送し、電極先端部の温度上昇を抑制できる。
【図面の簡単な説明】
【００２５】
【図１】本発明に係る放電ランプ装置の全体構成図を示す。
【図２】本発明に係る放電ランプの全体図を示す。
【図３】本発明に係る放電ランプの電極を示す。
【図４】放電ランプによる照度変化を示す。
【図５】本発明による測定手段のフローチャートを示す。
【図６】本発明による測定手段のフローチャートを示す。
【図７】放射光と電力を測定する測定時刻の説明図である。
【発明を実施するための形態】
【００２６】
図１は、本願発明に係る放電ランプ装置の全体構造を示す概略図である。
本発明に係る放電ランプ装置は、放電ランプ１０と放電ランプ１０の点灯状態を監視する測定手段３０を必須の構成とし、さらに、放電ランプ１０に電流を供給して点灯させるための点灯電源５０と、この点灯電源５０を制御する電源制御装置４０を有する。
測定手段３０は、後段で詳細に説明する。
【００２７】
図２は放電ランプ１０の拡大図を示す。放電ランプ１０の発光管は石英ガラスからなり、略球状の発光管１１の両端には封止部１２が一体に連設されている。この発光管１１には陽極２および陰極３が対向配置されており、各電極（２，３）はそれぞれ封止部１２で保持されて、その中で図示略の金属箔を介して外部リード棒１３につながり、図１の点灯電源５０に接続される。
【００２８】
発光管１１には、水銀、キセノン、アルゴンなどの発光物質や始動用ガスが所定量封入されている。そして、放電ランプ１０は、点灯電源５０より電力が供給されると、陽極２と陰極３でアーク放電することにより発光する。なお、この放電ランプ１０は、陽極２を上、陰極３を下にして、発光管１１の管軸が大地に対して略垂直方向に支持されて点灯されるいわゆる垂直点灯型の放電ランプである。
【００２９】
図３は陽極２の断面構造を示す。陽極２は、電極本体２０とその内部に伝熱体Ｍを有する構造をしている。
電極本体２０は、高融点金属、もしくは、高融点金属を主成分とする合金からなり、内部に密閉空間Ｓ（以後、「内部空間」ともいう）が形成される容器形状をしたものである。
伝熱体Ｍは、電極本体２０の内部に気密に封入された金属であり、電極本体２０を構成する金属より融点の低い金属から構成される。
電極本体２０は、蓋部２０１、胴部２０２、先端部２０３から構成されており、蓋部２０１は陽極を支持するリード棒が挿入される挿入穴２０１１が形成されている。
【００３０】
電極本体２０を構成する金属としては、タングステン、レニウム、タンタルなどの融点が３０００（Ｋ）以上の高融点金属が採用される。特に、タングステンは内部の伝熱体Ｍと反応しにくい点で好ましく、さらに、純度９９．９％以上のいわゆる純タングステンが好ましい。
また、高融点金属を主成分とする合金としては、例えば、タングステンを主成分とするタングステンーレニウム合金を採用できる。高温時の繰返し応力に対する耐性が高いものとなり、電極の長寿命化を図ることができる。
【００３１】
伝熱体Ｍは、電極本体２０を構成する金属よりも融点の低い金属により構成される。具体的には、電極本体２０の構成材料としてタングステンを用いた場合は、伝熱体Ｍとして、金、銀、銅、あるいはこれらを主成分とする合金が採用できる。これら、金、銀、銅は、タングステンと合金を作らないので、安定的に熱輸送体として働くという意味においても望ましい金属とされる。このうち、金は高価である為に、銀、銅が実用上好ましい材料である。
【００３２】
また、別の具体例としては、電極本体２０を構成する金属としてレニウムを用いた場合、伝熱体Ｍとしてタングステンを用いることができる。
電極本体２０を構成する金属としてレニウムを採用する利点は、ハロゲンを封入した水銀ランプやメタルハライドランプの場合に、電極の腐食を防止できることであり、これにより、放電ランプの長寿命化を図ることである。
【００３３】
電極本体２０は内部に密閉空間Ｓを有する概略容器形状の構造をしている。このため、伝熱体Ｍが、高温化されて溶融し、その一部が蒸気化したとしても、発光部１１の発光空間に漏出することはない。
【００３４】
測定手段３０は、測定手段制御装置３１と、放電ランプ１０の放射光を測定する光測定装置３２と、放電ランプ１０の電力を測定する電力測定部３３と、光測定装置３２で測定した放射光の測定値と電力測定部３３で測定した電力の測定値を記憶する記憶手段３４と、測定値の変化を検出する検出手段３５を有するものであり、検出手段３５の具体的手段として、電力の測定値と放射光の測定値の比率を検出する比率検出手段３６を備えるものである。
【００３５】
光測定装置３２は、放電ランプ１０の放射光を取り込むものであり、望ましくは、直射光として取り込むことができる位置に配置することが望ましいが、放電ランプ１０の本来の使用目的との関係で邪魔にならない位置に設置される。
光測定装置３２は、放電ランプ１０の放射光のうち所定の光のみを透過するための波長選択フィルタ、波長選択フィルタを透過した所定の光を処理に適した強度に調整するための減光フィルタ、および、当該所定の光を受光して電気信号に変換するセンサ、電気信号を増幅するアンプから構成される。
【００３６】
波長選択フィルタは、例えば、バンドパスフィルタや色ガラスフィルタが採用され、減光フィルタは、例えばＮＤフィルタが採用され、センサは、例えば、シリコンフォトダイオードが採用される。
本実施例では、光測定装置３２は、波長選択フィルタ、減光フィルタを用いて放電ランプ１０の発光管１１内に封入された発光物質である水銀の発光輝線３６５ｎｍの光をセンサで受光し、センサが受光した３６５ｎｍの光量を電気信号に変換するものである。
なお、センサが受光した３６５ｎｍの光量とは、波長選択フィルタを透過した３６５ｎｍを中心に半値幅１０ｎｍの光である。
【００３７】
電力測定部３３は、電源制御装置４０で点灯電源５０を制御する際に、電源制御装置４０から点灯電源５０へ送られる電力信号を電力の大きさに対応した電気信号に変換して、放電ランプの電力を測定するものである。
電力信号とは、点灯電源５０へ送られる電圧信号と電流信号から合成される信号のことである。
【００３８】
測定手段制御装置３１は、一定間隔で光測定装置３２と電力測定部３３を作動させるものであり、一例として１秒毎に信号を発信して、光測定装置３２と電力測定部３３を同時に作動させ、１秒間隔で放電ランプ１０からの放射光と放電ランプ１０の電力を順次測定するように制御するものである。
【００３９】
記憶手段３４は、光測定装置３２から発信された電気信号と、電力測定部３３から発信された電気信号を記憶するものであり、測定手段制御装置３１によって、一定間隔で光測定装置３２から発信された電気信号と電力測定部３３から発信された電気信号をそれぞれ個別に記憶するものである。
【００４０】
なお、光測定装置３２は、放電ランプ１０の発光管１１内に封入された発光物質の光を測定するものであり、発光物質が水銀の場合は、３６５ｎｍ以外の光である４０５ｎｍや４３６ｎｍの光を測定してもよい。
放電ランプの発光管に封入された発光物質が水銀の場合は、点灯中に、銀や銅などの伝熱体が漏れ出すと、水銀の発光輝線である３６５ｎｍや４０５ｎｍや４３６ｎｍの光が発光管外に透過する割合が顕著に減少するものである。
【００４１】
検出手段３５は、記憶手段３４に記憶された最新の放電ランプの電力の測定値に対応する電気信号と最新の放射光の測定値に対応する電気信号の比率である最新比率と、この最新の放電ランプの電力と放射光を測定した時刻より一定の時間間隔をおいた過去の放電ランプの電力の測定値に対応する電気信号と放射光の測定値に対応する電気信号の比率である過去比率とを順次比較し、最新比率と過去比率の比率変化を検出するものある。
【００４２】
さらに、検出手段３５は、最新比率の値と過去比率の値の比を検出する比率検出手段を有するものである。
【００４３】
そして、検出手段３５によって検出した比率変化に対応する電気信号の変化が基準値から外れた場合や、比率検出手段３６によって検出した比の値が基準値から外れた場合に、異常状態であることを表示させたり、検出手段３５や比率検出手段３６から異常状態であるとして電源制御装置４０に電気信号を送ることにより、電源制御装置４０を作動させ、電源制御装置４０から点灯電源５０に動作停止信号を送り、放電ランプ１０を消灯させたりするものである。
【００４４】
ここで、放電ランプ１０の陽極２が損耗することにより放電が不安定になる現象、電極本体素材による破損現象、および、伝熱体が電極本体の内部空間より漏出する現象を説明する。
陽極はタングステンなどの高融点金属から構成されるが、点灯時間の経過とともに、当該陽極を構成する材料は蒸発したり変形したりする。特に、陽極表面の一部に局部的にアークが集中したり、アークがふらふら揺れたりするなどの場合、当該部位の損耗は激しくなり、ついには電極本体を突き破るからである。
また、電極本体にクラックや鬆（す）などがあった場合、局部的に強度が落ちるために破損にいたる可能性がある。どちらにしても、内部に封じ込められていた伝熱体が放電空間に出る通路が出来てしまうことで、伝熱体の漏出が生じてしまう。
【００４５】
図４は、放電ランプ１０の電極から伝熱体が漏れ出した場合の放電ランプの照度変化を示すデータ説明図である。
図４において、縦軸は波長３６５ｎｍの光をセンサが検知した光量をセンサ出力電圧（Ｖ）として示し、横軸は点灯経過時間（分）を示す。
なお、図４の事例は、放電ランプ１０は、図２に示す構造のものであって、発光管１１には水銀とキセノンが封入されており、電極本体２０には伝熱体Ｍとして銀が封入されたものを例としている。
【００４６】
図４において、横軸で、−３〜０分までの間は、放電ランプ１０が安定点灯している時間帯であり、センサが検知した光量は安定している。つまり、被処理物の処理面での照度が安定している状態である。
そして、０分の時刻において、電極本体２０から内部に封入された銀が発光管内に漏れ始め、この瞬間に、発光管内に新たに銀が混入されることになり、銀が高温に曝されて気化し、霧状になって発光管内に充満し、３６５ｎｍの光が発光管外に透過しなくなり、結果として、センサが検知する波長３６５ｎｍの光の光量が減少し始める。
さらに、０分以降は、徐々に、センサが検知する波長３６５ｎｍの光の光量が減少しつづけている。
【００４７】
次に、放電ランプ１０からの放射光と電力の測定方法について、図５のフローチャートを用いて説明する。
ステップ１において、点灯電源５０を起動して放電ランプ１０を点灯させる。
次に、ステップ２において、放電ランプ１０が安定点灯する安定経過時間が経過したかどうか判定する。
安定経過時間が経過していない場合は、Ｎ０と判定し、再び安定経過時間を判定する。
安定経過時間が経過している場合は、ＹＥＳと判定し、ステップ３に移行する。
ステップ３では、測定手段制御装置３１が作動し、光測定装置３２と電力測定部３３が同時に一定間隔で放射光と電力を順次測定し、光測定装置３２からの測定値に対応する信号Ｓａ１、Ｓａ２、Ｓａ３・・・Ｓａ（ｎ−２）、Ｓａ（ｎ−１）、Ｓａ（ｎ）、Ｓａ（ｎ＋１）と、電力測定部３３からの測定値に対応する信号Ｓｂ１、Ｓｂ２、Ｓｂ３・・・Ｓａ（ｎ−２）、Ｓｂ（ｎ−１）、Ｓｂ（ｎ）、Ｓｂ（ｎ＋１）を、記憶手段３４にそれぞれ個別に記憶する。
【００４８】
次に、ステップ４において、最新の放電ランプの電力に対応する信号Ｓｂ（ｎ＋１）と最新の放電ランプの放射光に対応する信号Ｓａ（ｎ＋１）の最新比率と、この最新の放電ランプの電力と放射光を測定した時刻より一定の時間間隔をおいた過去の放電ランプの電力に対応する信号Ｓｂ１と放電ランプの放射光に対応する信号Ｓａ１の過去比率を比較する。
具体的には、それぞれの信号から以下の式１の値を作る。
式１・・・Ｄ／Ｅ
最新比率：Ｄ＝Ｓａ（ｎ＋１）／Ｓｂ（ｎ＋１）
過去比率：Ｅ＝Ｓａ１／Ｓｂ１
【００４９】
次に、ステップ５において、Ｄ／Ｅの値と閾値Ｔを比較する。
このステップ５において、Ｄ／Ｅの値が閾値Ｔより小さい場合は、ＹＥＳと判定し、ステップ６で、比率検出手段２６から異常信号を発信する。
【００５０】
ステップ５において、Ｄ／Ｅの値が閾値Ｔより大きい場合は、ＮＯと判定し、ステップ３に戻り、光測定装置３２と電力測定部３３によって電力と放射光を同時に測定し、最新の測定値に対するＳａ（ｎ＋２）とＳｂ（ｎ＋２）を、記憶手段３４に記憶する。
そして、ステップ４において、最新の放電ランプの電力に対応する信号Ｓｂ（ｎ＋２）と最新の放電ランプの放射光に対応する信号Ｓａ（ｎ＋２）の最新比率と、この最新の放電ランプの電力と放射光を測定した時刻より一定の時間間隔をおいた過去の放電ランプの電力に対応する信号Ｓｂ２と放電ランプの放射光に対応する信号Ｓａ２の過去比率を比較する。
具体的には、それぞれの信号から以下の式１の値を作る。
式１・・・Ｄ／Ｅ
最新比率：Ｄ＝Ｓａ（ｎ＋２）／Ｓｂ（ｎ＋２）
過去比率：Ｅ＝Ｓａ２／Ｓｂ２
【００５１】
次に、ステップ５において、Ｄ／Ｅの値と閾値Ｔを比較し、ＹＥＳ、或いは、ＮＯの判定をする。
このステップ５で、ＮＯと判定している間は、ステップ３からステップ５を繰り返し行うものである。
【００５２】
なお、ステップ６における異常信号は電源制御装置４０に送られて、電源制御装置４０から点灯電源５０に動作停止信号が送られて、放電ランプ１０が消灯する。
【００５３】
なお、上記の説明において、ステップ３において、光測定装置３２からの測定値に対応する信号と、電力測定部３３からの測定値に対応する信号を、記憶手段３４にそれぞれ個別に記憶するように説明したが、記憶手段３４の記憶容量が小さい場合には、測定毎に放射光の測定値と電力の測定値の比率を演算させた後、演算結果の比率の値のみを記憶手段３４に記憶させても良い。
【００５４】
上記実施例は、ステップ４において、最新比率の値と過去比率の値の比を取ることを説明したが、最新比率の値と過去比率の値の差を取ってもよい。
放電ランプ１０からの放射光と電力の測定方法について、最新比率の値と過去比率の値の差を取る方法について、図６のフローチャートを用いて説明する。
図６に示すフローチャートのステップ１〜３までは、図に示すフローチャートと同様であり、説明は省略する。
図６のステップ４において、最新の放電ランプの電力に対応する信号Ｓｂ（ｎ＋１）と最新の放電ランプの放射光に対応する信号Ｓａ（ｎ＋１）の最新比率と、この最新の放電ランプの電力と放射光を測定した時刻より一定の時間間隔をおいた過去の放電ランプの電力に対応する信号Ｓｂ１と放電ランプの放射光に対応する信号Ｓａ１の過去比率を比較する。
具体的には、それぞれの信号から以下の式１の値を作る。
式１・・・Ｅ−Ｄ
最新比率：Ｄ＝Ｓａ（ｎ＋１）／Ｓｂ（ｎ＋１）
過去比率：Ｅ＝Ｓａ１／Ｓｂ１
【００５５】
次に、ステップ５において、Ｅ−Ｄの値と閾値Ｔを比較する。
このステップ５において、Ｅ−Ｄの値が閾値Ｔより大きい場合は、ＹＥＳと判定し、ステップ６で、比率検出手段２６から異常信号を発信する。
【００５６】
ステップ５において、Ｅ−Ｄの値が閾値Ｔより小さい場合は、ＮＯと判定し、ステップ３に戻り、光測定装置３２と電力測定部３３によって電力と放射光を同時に測定し、最新の測定値に対するＳａ（ｎ＋２）とＳｂ（ｎ＋２）を、記憶手段３４に記憶する。
そして、ステップ４において、最新の放電ランプの電力に対応する信号Ｓｂ（ｎ＋２）と最新の放電ランプの放射光に対応する信号Ｓａ（ｎ＋２）の最新比率と、この最新の放電ランプの電力と放射光を測定した時刻より一定の時間間隔をおいた過去の放電ランプの電力に対応する信号Ｓｂ２と放電ランプの放射光に対応する信号Ｓａ２の過去比率を比較する。
具体的には、それぞれの信号から以下の式１の値を作る。
式１・・・Ｅ−Ｄ
最新比率：Ｄ＝Ｓａ（ｎ＋２）／Ｓｂ（ｎ＋２）
過去比率：Ｅ＝Ｓａ２／Ｓｂ２
【００５７】
次に、ステップ５において、Ｅ−Ｄの値と閾値Ｔを比較し、ＹＥＳ、或いは、ＮＯの判定をする。
このステップ５で、ＮＯと判定している間は、ステップ３からステップ５を繰り返し行うものである。
【００５８】
なお、ステップ６における異常信号は電源制御装置４０に送られて、電源制御装置４０から点灯電源５０に動作停止信号が送られて、放電ランプ１０が消灯する。
【００５９】
次に、図５と図７を用いて具体的な放射光の測定方法について説明する。
なお、図７は、測定時刻の説明図であり、Ｓ１等の記号は、一定間隔で放射光と電力を測定した時刻を表現している。
図５のステップ２において、放電ランプ１０が安定点灯する安定経過時間１０分が経過したかどうか判定する。
安定経過時間１０分が経過している場合は、ＹＥＳと判定し、ステップ３に移行する。
ステップ３では、図７に示すように、測定手段制御装置３１が作動し、光測定装置３２と電力測定部３３が、Ｓ１、Ｓ２等の時刻に示すように１秒間隔で連続して、放射光と電力を順次測定し、光測定装置３２からの測定値に対応する信号Ｓａ１、Ｓａ２、Ｓａ３・・・Ｓａ５９８、Ｓａ５９９、Ｓａ６００、Ｓａ６０１、Ｓａ６０２と、電力測定部３３からの測定値に対応する信号Ｓｂ１、Ｓｂ２、Ｓｂ３・・・Ｓｂ５９８、Ｓｂ５９９、Ｓｂ６００、Ｓｂ６０１、Ｓｂ６０２を、記憶手段３４にそれぞれ個別に記憶する。
ここで、Ｓ６０１とは、一番最初に測定した時刻Ｓ１から６００秒後の時刻を意味しており、時刻Ｓ６０１で測定値した放射光の測定値に対応する信号はＳａ６０１であり、時刻Ｓ６０１で測定値した電力の測定値に対応する信号はＳｂ６０１である。
【００６０】
次に、ステップ４において、最新の時刻Ｓ６０１における放電ランプの電力に対応する信号Ｓｂ６０１と最新の時刻Ｓ６０１における放電ランプの放射光に対応する信号Ｓａ６０１の最新比率Ｄと、６００秒前の過去の時刻Ｓ１における放電ランプの電力に対応する信号Ｓｂ１と過去の時刻Ｓ１における放電ランプの放射光に対応する信号Ｓａ１の過去比率Ｅを比較する。
具体的には、それぞれの信号から以下の式１の値を作る。
式１・・・Ｄ／Ｅ
最新比率：Ｄ＝Ｓａ６０１／Ｓｂ６０１
過去比率：Ｅ＝Ｓａ１／Ｓｂ１
【００６１】
ステップ５において、閾値となる値を予め決めておき、その閾値を０．８とする。
このステップ５において、Ｄ／Ｅの値と閾値０．８を比較し、Ｄ／Ｅの値が０．８より大きい場合は、電極から銀が漏れ出していないと判定し、ステップ３に戻り、次の時刻Ｓ６０２の放電ランプの電力に対応する信号Ｓｂ６０２と時刻Ｓ６０２の放電ランプの放射光に対応する信号Ｓａ６０２を、記憶手段３４に記憶する。
ここで、Ｓ６０２とは、二番目に測定した時刻Ｓ２から６００秒後の時刻を意味している。
なお、このステップ５において、Ｄ／Ｅの値が１．０より小さく０．８より大きい場合は、電極から銀が漏れ出していない状態である。
これは、前述したように、電極本体の内部に伝熱体を有する電極を採用しても、電極を構成する物質の蒸発を完全に抑えることはできず、電極からの蒸発物質が発光管の内表面に付着して、ランプからの放射出力が低下したので、定照度点灯モードに伴い、放電ランプへの電力を上げた結果、時刻Ｓ６０１における最新比率Ｄの値が、６００秒前の過去の時刻Ｓ１における過去比率Ｅの値に比べて小さくなるものである。
【００６２】
そして、ステップ４において、最新の時刻Ｓ６０２における放電ランプの電力に対応する信号Ｓｂ６０２と最新の時刻Ｓ６０２における放電ランプの放射光に対応する信号Ｓａ６０２の最新比率Ｄと、６００秒前の過去の時刻Ｓ２における放電ランプの電力に対応する信号Ｓｂ２と過去の時刻Ｓ２における放電ランプの放射光に対応する信号Ｓａ２の過去比率Ｅを比較する。
具体的には、それぞれの信号から以下の式１の値を作る。
式１・・・Ｄ／Ｅ
最新比率：Ｄ＝Ｓａ６０２／Ｓｂ６０２
過去比率：Ｅ＝Ｓａ２／Ｓｂ２
【００６３】
ステップ５において、Ｄ／Ｅの値と閾値０．８を比較し、Ｄ／Ｅの値が０．８より小さい場合は、電極から銀が漏れ出したと判定し、ステップ６に移行し、比率検出手段２６から異常信号を発信する。
これは、電極から銀が漏れ出していない場合であっても、前述した通り、電極からの蒸発物質が発光管の内表面に付着することにより、ランプからの放射出力が低下し、定照度点灯モードに伴い、放電ランプへの電力を上げた結果、Ｄ／Ｅの値が低下するが、電極から銀が漏れ出すと、Ｄ／Ｅの値の低下がはるかに大きく、通常の低下範囲を超えることになり、Ｄ／Ｅの値の変化を見ることにより、電極から伝熱体が漏れ出したことを、精度よく、早期に検出することができる。
【００６４】
なお、ステップ５において、最新比率Ｄと過去比率Ｄを、一般化して表現すると、最新の測定値と６００秒前の測定値を比較するので、Ｄ＝Ｓａ（ｍ＋６００）／Ｓｂ（ｍ＋６００）、Ｅ＝Ｓａｍ／Ｓｂｍとなり、このＤとＥの値を用いたＤ／Ｅの値と閾値０．８とを比較することになる。
【００６５】
なお、本願発明では、電力と放射光の測定間隔は、記憶手段３３の記憶容量によって適宜設定され、１秒に限るものでなく、５分より短い間隔であり、この好ましくは３０秒より短い間隔である。
また、本発明では、最新の電力の測定値と放射光の測定値とは、実際の最新の電力の測定値と放射光の測定値以外にも、最新から５分以内に測定した測定値も、最新の電力の測定値と放射光の測定値と見なすものである。
これは、５分以内であれば、放射光の低下以外のランプ不具合の影響を受けないものであり、比率検出手段の演算能力や処理スピードに制限がある場合は、最新の電力と放射光を測定した値より、５分以内の値を利用してもなんら問題はない。
【００６６】
なお、定照度点灯モードで説明を行ったが、定電力点灯モードにおいても電極本体から伝熱体が漏れ出した場合、同様にＤ／Ｅの比が低下し、或いは、同様にＥ−Ｄの差が大きくなるので、本願発明は定電力点灯モードにおいても適用できる。
【符号の説明】
【００６７】
１０    放電ランプ
３０    測定手段
３１    測定手段制御装置
３２    光測定装置
３３    電力測定部
３４    記憶手段
３５    検出手段
３６    比率検出手段
【図１】
2010232000.tif 000003
【図２】
2010232000.tif 000004
【図３】
2010232000.tif 000005
【図４】
2010232000.tif 000006
【図５】
2010232000.tif 000007
【図６】
2010232000.tif 000008
【図７】
2010232000.tif 000009